(57)【特許請求の範囲】
【請求項１】
底板から垂直に立ち上がった左右の側板を有し、
一方の前記側板に第１の穴が形成されており、
他方の前記側板の後端を垂直に折り曲げた後板が形成されており、
前記後板にスリットと第２の穴が形成されたシャーシと、
前記後板と平行な第１の面と前記側板と平行な第２の面を有し、
前記第１の面から垂直に切り起こされ前記側板と平行な面を有する切り起こし舌片と前記第１の面に設けた第３の穴と前記第２の面に設けた第４の穴とが形成された金具とからなり、
前記切り起こし舌片と前記スリットを嵌合させることにより前記金具とシャーシとを位置決めした状態で、前記第１の穴と前記第４の穴及び第２の穴と第３の穴が締着されていることを特徴とするシャーシへの金具の取付構造。
【請求項２】
底板から垂直に立ち上がった左右の側板を有し、
一方の前記側板に第１の穴が形成されており、
他方の前記側板の後端を垂直に折り曲げた後板が形成されており、
前記後板から垂直に切り起こされ前記側板と平行な面を有する切り起こし舌片と第２の穴が形成されたシャーシと、
前記後板と平行な第１の面と前記側板と平行な第２の面を有し、
前記第１の面に設けたスリットと第３の穴と前記第２の面に設けた第４の穴が形成された金具とからなり、
前記切り起こし舌片と前記スリットを嵌合させることにより前記金具とシャーシとを位置決めした状態で、前記第１の穴と前記第４の穴及び第２の穴と第３の穴が締着されていることを特徴とするシャーシへの金具の取付構造。
【発明の詳細な説明】
【技術分野】
【０００１】
この発明はシャーシへの金具の取付構造に関する。
【背景技術】
【０００２】
従来のシャーシへの金具の取付構造の例を図２により説明する。図２に示すシャーシ３には底板から右側板３ａと左側板３ｂが垂直に立上がり、右側板３ａ、左側板３ｂおよび底板折曲げることにより垂直面の後板３ｃが底板から立上がるように形成されている。
【０００３】
金具４は断面コ字形に形成されており、コ字形後面４ａの両側から直角方向にコ字形右側面４ｂとコ字形左側面４ｃが延びている。シャーシ３の後板３ｃに設けられねじ挿通穴３ｄ、３ｆに夫々ねじ７、７が挿通され、金具４のコ字形後面４ａのねじ穴（図２に見えていない）にねじ込まれることにより金具４がシャーシ３に締着される。
【０００４】
このシャーシへの金具の取付構造では、ねじ挿通穴３ｄ、３ｆの内径とねじ７の外形との差だけ金具４のシャーシ３に対する位置ずれが生じ、金具４がシャーシ３に正確に位置決めされないという問題があった。
【０００５】
図３に示す従来のシャーシへの金具の取付構造の他の例では、シャーシ５は底板から右側板５ａと左側板５ｂが垂直に立上がり、右側板５ａ、左側板５ｂおよび底板を折曲げることにより垂直面の後板５ｃが底板から立上がるように形成されている。
【０００６】
金具６は断面コ字形に形成されており、コ字形後面６ａの両側から直角方向にコ字形右側面６ｂとコ字形左側面６ｃが延びている。シャーシ５の右側板５ａおよび左側板５ｂに夫々設けられねじ挿通穴５ｄ、５ｅに夫々ねじ７、７が挿通され、金具６のコ字形右側面６ｂおよびコ字形左側面６ｃに夫々設けられたねじ穴６ｄおよび６ｅにねじ込まれることにより金具６がシャーシ５に締着される。
【０００７】
なお、ねじ７、７を締め付けて金具６を固定するとき、シャーシ５の底板に載せた直方体の治具の側面に金具６のコ字形後面６ａを密接させてコ字形後面６ａが垂直となるように位置決めされる。
【０００８】
このシャーシへの金具の取付構造では、金具６が図４（ａ）に示すように、右側板５ａまたは左側板５ｂのいずれか一方に偏って固定されることがあった。また、シャーシ５が図４（ｂ）に示すように右側板５ａおよび左側板５ｂが開くように変形している場合は、ねじ７、７が締め付けられると右側板５ａおよび左側板５ｂが垂直方向に矯正されることになるが、右側板５ａと左側板５ｂとが同じように矯正されないことがあった。
【０００９】
特開２００５−３２７９８１号公報に提案された電子機器装置の板金筐体構造によると、天板５の嵌合片５ａに囲まれた嵌合穴５ｂを後面板２の差込片２ａを挿入する。そして、嵌合片５ａおよび天板の曲げ部内面と差込片２ａおよび差込片曲げ部２ｂ表面が挟圧保持された状態となり、後面板２に天板５が嵌め込まれて固定される。
【００１０】
上記した特開２００５−３２７９８１号公報に提案された電子機器装置の板金筐体構造では、後面板２と天板５との位置決めがなされないため、後面板２と天板５との相対位置が正確に決まらないという問題があった。また、後面板２と天板５とがねじ締着されていないため、強固に固定されておらず、天板５を強く引っ張ると後面板２から外れる恐れがあった。
【特許文献１】特開２００５−３２７９８１号公報、段落００１３、図１、図２
【発明の開示】
【発明が解決しようとする課題】
【００１１】
この発明は上記した点に鑑みてなされたものであって、その目的とするところは、位置決めが正確になされ、金具をシャーシへ強固に固定できるシャーシへの金具の取付構造を提供することにある。
【課題を解決するための手段】
【００１２】
この発明のシャーシへの金具の取付構造は、底板から垂直に立ち上がった左右の側板を有し、一方の前記側板に第１の穴が形成されており、他方の前記側板の後端を垂直に折り曲げた後板が形成されており、前記後板にスリットと第２の穴が形成されたシャーシと、前記後板と平行な第１の面と前記側板と平行な第２の面を有し、前記第１の面から垂直に切り起こされ前記側板と平行な面を有する切り起こし舌片と前記第１の面に設けた第３の穴と前記第２の面に設けた第４の穴とが形成された金具とからなり、前記切り起こし舌片と前記スリットを嵌合させることにより前記金具とシャーシとを位置決めした状態で、前記第１の穴と前記第４の穴及び第２の穴と第３の穴が締着されているものである。
【００１３】
また、この発明のシャーシへの金具の取付構造は、底板から垂直に立ち上がった左右の側板を有し、一方の前記側板に第１の穴が形成されており、他方の前記側板の後端を垂直に折り曲げた後板が形成されており、前記後板から垂直に切り起こされ前記側板と平行な面を有する切り起こし舌片と第２の穴が形成されたシャーシと、前記後板と平行な第１の面と前記側板と平行な第２の面を有し、前記第１の面に設けたスリットと第３の穴と前記第２の面に設けた第４の穴が形成された金具とからなり、前記切り起こし舌片と前記スリットを嵌合させることにより前記金具とシャーシとを位置決めした状態で、前記第１の穴と前記第４の穴及び第２の穴と第３の穴が締着されているものである。
【発明の効果】
【００１５】
この発明のシャーシへの金具の取付構造によれば、位置決めが正確になされ、金具をシャーシへ強固に固定できる。
【発明を実施するための最良の形態】
【００１６】
以下この発明を実施するための最良の形態を実施例に即して説明する。図１はこの発明の実施例であるシャーシへの金具の取付構造を示す分解斜視図である。図１に示すシャーシ１には、底板から右側板１ａと左側板１ｂが垂直に立上がり、右側板１ａ、左側板１ｂおよび底板を折曲げることにより垂直面の後板１ｃが両側板および底板から立上がるように形成されている。
【００１７】
金具２は断面コ字形に形成されており、中間部のコ字形後面２ａの両側から直角方向にコ字形右側面２ｂとコ字形左側面２ｃが延びている。シャーシ１の左側板１ｂから延びる後板１ｃおよび右側板１ａには夫々ねじ挿通穴１ｆおよびねじ挿通穴１ｅが設けられている。シャーシ１の後板１ｃにはさらに垂直方向に延びるスリット１ｄが設けられている。
【００１８】
金具２のコ字形後面２ａには直角方向に延びる切り起こし舌片２ｄが設けられ、さらに、ねじ穴２ｇが設けられている。金具２の右側板２ｂには右側板２ｂから垂直に切り起こされた先端部を右側板２ｂと平行方向に延びるように折り曲げた切り起こし舌片２ｅが設けられ、起こし舌片２ｅにねじ穴２ｆが設けられている。
【００１９】
金具２をシャーシ１に締着するには、先ず、金具２を図示の矢印方向にシャーシ１の後部に挿入する。このとき金具２の起こし舌片２ｄがシャーシ１のスリット１ｄに嵌合して金具２のシャーシ１に対する左右方向の位置が決められる。その状態でねじ挿通穴１ｅの位置をねじ穴２ｆに合わせてねじ挿通穴１ｅを挿通したねじ７をねじ穴２ｆにねじ込む。さらに、ねじ挿通穴１ｆを挿通したねじ７をねじ穴２ｇにねじ込む。これらのねじ７、７を締付けることにより金具２がシャーシ１に対して正確に位置決めされた状態で強固に固定される。
【００２０】
実施例は以上のように構成されているが発明はこれに限られず、例えば、金具２が薄く十分な強度のねじ穴を形成しにくい場合はねじ穴２ｇやねじ穴２ｆをねじ挿通穴としてねじとナットにより金具２を締着してもよい。
【００２１】
また、シャーシ１に起こし舌片を設け、それと嵌合するスリットを金具２に設けても良い。さらに、シャーシの後板のみにねじ挿通穴を設けてもよく、前面板、右側板および左側板の夫々にねじ挿通穴を設ける構成としてもこの発明の効果が得られる。
【図面の簡単な説明】
【００２２】
【図１】この発明の実施例１であるシャーシへの金具の取付構造を示す分解斜視図である。
【図２】従来のシャーシへの金具の取付構造の例を示す斜視図である。
【図３】従来のシャーシへの金具の取付構造の他の例を示す斜視図である。
【図４】図４（ａ）は同金具の取付構造の作用を説明するための平面図、図４（ｂ）は同金具の取付構造の作用を説明するための部材の概略斜視図である。
【符号の説明】
【００２３】
１  シャーシ、１ａ  右側板、１ｂ  左側板、１ｃ  後板、１ｄ  スリット
１ｅ、１ｆ  ねじ挿通穴
２  金具、２ａ  コ字形後面、２ｂ  コ字形右側面、２ｃ  コ字形左側面
２ｄ  切起こし舌片、２ｅ  切起こし舌片、２ｆ、２ｇ  ねじ穴、
３  シャーシ、３ａ  右側板、３ｂ  左側板、３ｃ  後板、３ｄ、３ｆ  ねじ挿通穴
４  金具、４ａ  コ字形後面、４ｂ  コ字形右側面、４ｃ  コ字形左側面
５  シャーシ、５ａ  右側板、５ｂ  左側板、５ｃ  後板、５ｄ、５ｅ  ねじ挿通穴
６  金具、６ａ  コ字形後面、６ｂ  コ字形右側面、６ｃ  コ字形左側面、
６ｄ、６ｅ  ねじ穴
７  ねじ
【図１】
0004742895.tif 000002
【図２】
0004742895.tif 000003
【図３】
0004742895.tif 000004
【図４】
0004742895.tif 000005